(57)【特許請求の範囲】
【請求項１】
表示面に１秒間にｎコマの映像を表示する表示装置において、
上記表示面に上記映像が表示されるように、上記表示装置の外部に向けて光を照射する光源部と、
上記光源部に光を照射させるか否かを制御する光源制御部と、を備え、
上記光源制御部は、上記光源部が光を照射する期間である照射期間と上記光源部が光を照射しない期間である非照射期間とが交互に繰り返すように上記光源部を制御するようになっており、
上記光源制御部は、上記照射期間において、上記表示面の全領域を分割した複数の帯状領域のうちの上記光が照射される帯状領域が上側から下側に一定期間ごとに順次切り替わるように上記光源部を制御し、上記非照射期間において、どの帯状領域にも光を照射しないように上記光源部を制御するように構成されており、
上記照射期間および上記非照射期間は、共に、１÷（ｍ×ｎ）秒（ｍ：２以上の整数）であることを特徴とする表示装置。
【請求項２】
上記表示面に表示される映像の画質設定指示をユーザから受け付ける指示受付部をさらに備え、
上記指示受付部が受け付けた指示が上記映像を所定の画質に設定する旨の指示である場合に限り、上記光源制御部が上記制御を行うことを特徴とする請求項１に記載の表示装置。
【請求項３】
上記表示面に映像を表示すべき映像信号からノイズを除去するノイズ除去部を備え、
上記指示受付部が上記所定の画質に設定する旨の指示を受け付けた場合には、上記ノイズ除去部は上記映像信号からノイズを除去しないことを特徴とする請求項２に記載の表示装置。
【請求項４】
上記映像信号に超解像化処理を施す超解像化部をさらに備えていることを特徴とする請求項３に記載の表示装置。
【請求項５】
上記表示面に映像を表示すべき映像信号にフィルムデジャダリング処理を施すデジャダリング部を備え、
上記指示受付部が上記所定の画質に設定する旨の指示を受け付けた場合には、上記デジャダリング部は上記映像信号に上記フィルムデジャダリング処理を施さないことを特徴とする請求項２から４のいずれか１項に記載の表示装置。
【請求項６】
上記表示面に映像を表示すべき映像信号にエッジ強調処理を施すエッジ強調部を備えていることを特徴とする請求項２から５のいずれか１項に記載の表示装置。
【請求項７】
上記ｎの値は２４であり、上記ｍの値は４であることを特徴とする請求項１から６のいずれか１項に記載の表示装置。
【請求項８】
上記ｎの値は６０であり、上記ｍの値は２であることを特徴とする請求項１から６のいずれか１項に記載の表示装置。
【請求項９】
上記ｎの値は５０であり、上記ｍの値は２であることを特徴とする請求項１から６のいずれか１項に記載の表示装置。
【請求項１０】
上記照射期間および上記非照射期間の長さを、１÷（ｍ×ｎ）秒を含む範囲内で、ユーザが指定した長さに設定する設定手段を更に備えている、ことを特徴とする請求項１から９のいずれか１項に記載の表示装置。
【請求項１１】
表示面に１秒間にｎコマの映像を表示する表示装置の表示方法において、
上記表示面に映像が表示されるように、上記表示装置の外部に向けて光源部が光を照射
する照射工程と、
上記光源部に光を照射させるか否かを光源制御部が制御する光源制御工程と、を含み、
上記光源制御工程にて、上記光源部が光を照射する期間である照射期間と上記光源部が光を照射しない期間である非照射期間とが交互に繰り返すように上記光源制御部が上記光源部を制御するようになっており、
上記光源制御部は、上記光源制御工程の上記照射期間において、上記表示面の全領域を分割した複数の帯状領域のうちの上記光が照射される帯状領域が上側から下側に一定期間ごとに順次切り替わるように上記光源部を制御し、上記光源制御工程の非照射期間において、どの帯状領域にも光を照射しないように上記光源部を制御するようになっており、
上記照射期間および上記非照射期間は、共に、１÷（ｍ×ｎ）秒（ｍ：２以上の整数）であることを特徴とする表示方法。
【発明の詳細な説明】
【技術分野】
【０００１】
本発明は、映像を表示する表示装置、およびそのような表示装置における表示方法に関する。
【背景技術】
【０００２】
近年、映画がＤＶＤやＢＤ等の形態で販売されるようになっており、自宅等において液晶テレビやプラズマテレビ等で視聴する機会が増えてきている。
【０００３】
ＤＶＤやＢＤ等は記録画素数が高く、液晶テレビやプラズマテレビ等は、一般にブラウン管型のテレビに比べ高精細な表示が可能である。
【０００４】
また、特許文献１に記載されているように、最近の液晶テレビは、１０８０／２４ｐの映像入力に対応しているものが多い。
【０００５】
１０８０／２４ｐの映像入力に対応している液晶テレビでは、ＢＤプレーヤ等から１０８０／２４ｐの映像が入力された場合に、プルダウン処理を介在させることなく、２４ｐの映像を４８Ｈｚ駆動や１２０Ｈｚ駆動で表示することができるので、映画館で鑑賞する映像の質感を従来の液晶テレビより忠実に再現することができる。
【０００６】
また、映画をより高画質な映像で鑑賞するための技術として他にも特許文献１や特許文献２等に開示されている技術がある。
【０００７】
ところで、ＤＶＤやＢＤ等の形態で販売される映画の中には、最近の映画だけでなく、「オズの魔法使い」「風と共に去りぬ」「巴里のアメリカ人」といった往年の名作映画もある。
【０００８】
これらの名作映画は、現在から比較すると古い撮影技術で撮影され古い上映技術で上映されていたため、投影される映像には、昨今のデジタル映像のそれとは異なる独特な精細感、ノイズやちらつき等が生じていた。一般に、ノイズやちらつきは画質に悪影響を与える要素となるが、往年の名作映画をこよなく愛する映画ファンの中には、このような名作映画を鑑賞する場合に、高画質な映像ではなく、独特なノイズやちらつきが生じる当時の映像の雰囲気そのままを楽しみたいと思うファンも多い。
【先行技術文献】
【特許文献】
【０００９】
【特許文献１】特開２００９−３００７８５号公報（平成２１年１２月２４日公開）
【特許文献２】特開２００８−７９２８７号公報（平成２０年４月３日公開）
【発明の概要】
【発明が解決しようとする課題】
【００１０】
しかしながら、上記従来の構成では、ローカルディミング技術やノイズを抑えるノイズリダクション技術等、画質を向上させる様々な技術が採用されているため、このことが逆に災いして、往年の名作映画の映像を表示した場合に、当時の映像の雰囲気を忠実に鑑賞者に伝えられないという問題がある。
【００１１】
本発明は、上記課題に鑑みてなされたものであり、その主な目的は、往年の名作映画の映像が醸し出す雰囲気を、従来の液晶テレビやプラズマテレビ等に比べ忠実に再現することが可能な表示装置を実現することにある。
【課題を解決するための手段】
【００１２】
上記の課題を解決するために、本発明に係る表示装置は、表示面に１秒間にｎコマの映像を表示する表示装置において、上記表示面に上記映像が表示されるように、上記表示装置の外部に向けて光を照射する光源部と、上記光源部に光を照射させるか否かを制御する光源制御部と、を備え、上記光源制御部は、上記光源部が光を照射する照射期間と上記光源部が光を照射しない非照射期間とが交互に繰り返すように上記光源部を制御するようになっており、上記照射期間および上記非照射期間は、共に、１÷（ｍ×ｎ）秒（ｍ：２以上の整数）であることを特徴としている。
【００１３】
したがって、上記表示装置は、往年の名作映画の映像が醸し出す雰囲気を、従来の液晶テレビやプラズマテレビ等に比べ忠実に再現することができるという効果を奏する。
【００１４】
上記の課題を解決するために、本発明に係る表示方法は、表示面に１秒間にｎコマの映像を表示する表示装置の表示方法において、上記表示面に映像が表示されるように、上記表示装置の外部に向けて光源部が光を照射する照射工程と、上記光源部に光を照射させるか否かを光源制御部が制御する光源制御工程と、を含み、上記光源制御工程にて、上記光源部が光を照射する照射期間と上記光源部が光を照射しない非照射期間とが交互に繰り返すように上記光源制御部が上記光源部を制御するようになっており、上記照射期間および上記非照射期間は、共に、１÷（ｍ×ｎ）秒（ｍ：２以上の整数）であることが望ましい。
【００１５】
上記の構成によれば、本発明に係る表示方法は、本発明に係る表示装置と同様の作用効果を奏する。
【００１６】
上記表示装置は、上記表示面に表示される映像の画質設定指示をユーザから受け付ける指示受付部をさらに備え、上記指示受付部が受け付けた指示が上記映像を所定の画質に設定する旨の指示である場合に限り、上記光源制御部が上記制御を行うことが望ましい。
【００１７】
上記の構成によれば、上記表示装置は、ユーザが所定の画質に設定する旨の指示を行った場合に限り、往年の名作映画の映像が醸し出す雰囲気を、従来の液晶テレビやプラズマテレビ等に比べ忠実に再現することができる。
【００１８】
すなわち、上記表示装置は、ユーザが所定の画質に設定した場合には、往年の名作映画の映像が醸し出す雰囲気を再現し、所定の画質以外の画質に設定した場合には、往年の名作映画の映像が醸し出す雰囲気を再現しない。
【００１９】
これにより、表示装置は、映像を表示するコンテンツの内容に応じて適切な映像を表示することができるというさらなる効果を奏する。
【００２０】
上記表示装置は、上記表示面に映像を表示すべき映像信号からノイズを除去するノイズ除去部を備え、上記指示受付部が上記所定の画質に設定する旨の指示を受け付けた場合には、上記ノイズ除去部は上記映像信号からノイズを除去しないことが望ましい。
【００２１】
上記の構成によれば、上記表示装置は、ユーザが上記所定の画質に設定する旨の指示を行った場合、表示面に映像を表示すべき映像信号からノイズを除去しない。すなわち、上記映像信号が表わす映像にグレインノイズ等のノイズが含まれる場合には、表示面に表示される映像にはノイズが再現されることになる。
【００２２】
したがって、往年の名作映画の映像が醸し出す雰囲気を、より忠実に再現することができるというさらなる効果を奏する。
【００２３】
上記表示装置は、上記映像信号に超解像化処理を施す超解像化部をさらに備えていることが望ましい。
【００２４】
上記の構成によれば、ユーザが上記所定の画質に設定する旨の指示を行った場合、表示面に表示される映像からはノイズが除去されないだけでなく、上記映像には超解像化処理が施されていることになる。すなわち、表示面に表示される映像にはノイズがよりくっきりと再現されることになる。
【００２５】
したがって、往年の名作映画の映像が醸し出す雰囲気を、さらに忠実に再現することができるというさらなる効果を奏する。
【００２６】
上記表示装置は、上記表示面に映像を表示すべき映像信号にフィルムデジャダリング処理を施すデジャダリング部を備え、上記指示受付部が上記所定の画質に設定する旨の指示を受け付けた場合には、上記デジャダリング部は上記映像信号に上記フィルムデジャダリング処理を施さないことが望ましい。
【００２７】
上記の構成によれば、上記表示装置は、ユーザが上記所定の画質に設定する旨の指示を行った場合、表示面に映像を表示すべき映像信号が２４コマの映像信号であっても該映像信号にフィルムデジャダリング処理を施さない。従って、表示面には、コマ送り再生が行われているかのように映像が表示される。
【００２８】
したがって、往年の名作映画の映像が醸し出す雰囲気を、より忠実に再現することができるというさらなる効果を奏する。
【００２９】
上記表示装置は、上記表示面に映像を表示すべき映像信号にエッジ強調処理を施すエッジ強調部を備えていることが望ましい。
【００３０】
上記の構成によれば、表示面に表示される映像は、映像に含まれる物体の像の輪郭がより強調されるようになる。
【００３１】
これにより、上記表示装置は、往年のフィルム映画特有の精細感を再現することができる。したがって、往年の名作映画の映像が醸し出す雰囲気を、より忠実に再現することができるというさらなる効果を奏する。
【００３２】
上記表示装置は、上記照射期間および上記非照射期間の長さを、１÷（ｍ×ｎ）秒を含む範囲内で、ユーザが指定した長さに設定する設定手段を更に備えている、ことが望ましい。
【００３３】
上記の構成によれば、ユーザは映像のちらつき感を調整することができるので、上記表示装置は、映像を鑑賞中のユーザにとってフィルム映像の雰囲気を感じやすい最適な映像を、そのユーザに鑑賞させることができるというさらなる効果を奏する。
【００３４】
また、蛍光灯等の点灯周波数には地域ごとに違いがある（例えば、ＮＴＳＣ地域：６０Ｈｚ、ＰＡＬ・ＳＥＣＡＭ地域：５０Ｈｚ）ため、地域ごとにフィルム映像の雰囲気を感じやすい最適なバックライトの点灯周波数は異なる。上記の構成によれば、上記表示装置は、設置されている地域に応じてフィルム映像の雰囲気を感じやすい最適な照射期間および上記非照射期間をユーザに設定させることができるというさらなる効果を奏する。
【００３５】
なお、上記ｎの値は２４であり、上記ｍの値は４であることが望ましい。
【００３６】
上記の構成によれば、上記表示装置は、秒間２４コマのフィルム映画の映像をより忠実に再現することができるというさらなる効果を奏する。
【００３７】
なお、上記ｎの値は６０であり、且つ、上記ｍの値は２であってもよいし、上記ｎの値は５０であり、且つ、上記ｍの値は２であってもよい。
【００３８】
上記の構成によれば、上記表示装置は、一般的なテレビ放送などで用いられる６０コマの映像をより鮮明に表示することができる。すなわち、上記の構成は、往年の名作映画の映像が醸し出す雰囲気を忠実に再現するものではないが、出願人が発明の過程で、上記の構成により前述の効果を見出したものである。
【発明の効果】
【００３９】
以上のように、本発明に係る表示装置は、往年の名作映画の映像が醸し出す雰囲気を、従来の液晶テレビやプラズマテレビ等に比べ忠実に再現することが可能である。
【図面の簡単な説明】
【００４０】
【図１】本発明の実施形態に係る液晶テレビの一部分（特に、映像処理回路およびＬＣＤ）の詳細な構成を示すブロック図である。
【図２】本発明の実施形態に係る液晶テレビの構成を示すブロック図である。
【図３】図３は、映画（クラシック）モードにおけるバックライトの点灯および消灯のタイミングを示した図である。図３（ａ）は２４ｐの入力映像を４倍速駆動で表示した場合の図であり、図３（ｂ）は、６０ｐの入力映像をスキャン倍速駆動で表示した場合の図である。
【図４】図４の（ａ）〜（ｄ）は映画（クラシック）モードにおけるバックライトの点灯周波数を調整するメニュー画面の一例を示す図である。
【図５】図５は、映画（クラシック）モードにおけるバックライトの点灯周波数を調整する画面の別の一例を示す図である。
【図６】図６は、液晶パネルの各帯状領域の背面にあるバックライトの点灯および消灯を、バックライトスキャン技術を用いて制御するタイミングを示すタイミングチャートと、上記タイミングチャートにおけるある期間において液晶パネルに表示される映像と、を示した図である。
【発明を実施するための形態】
【００４１】
本発明の実施形態について、図面に基づいて説明すれば以下のとおりである。なお、以下の説明においては、表示装置として液晶ディスプレイを備えたテレビジョン受像機（以下「液晶テレビ」と呼称する）を例示するが、本発明はこれに限定されるものではない。すなわち、液晶テレビは、表示装置として機能する機器の一例に過ぎず、例えば、プラズマテレビ、ビデオプロジェクタ、ＣＲＴ、液晶ディスプレイモニタなど他の機器に置換可能である。
【００４２】
本実施形態に係る液晶テレビには、ゲームモードや通常の映画モード等の画質調整モードが備わっているが、従来ない画質調整モードとして映画（クラシック）モードが備わっている。映画（クラシック）モードは、往年の名作映画の映像を表示した場合に前述したような独特な精細感、ノイズやちらつき等ができるだけ再現されるような画質（所定の画質）にするための画質調整モードである。
【００４３】
〔液晶テレビの構成〕
液晶テレビ１の構成について、図１および図２を参照して説明する。図２は、液晶テレビ１の構成を示す図であり、図１は、主に、テレビ１の一部分の構成（特に、映像処理回路１０８およびＬＣＤ１１０の構成）を詳細に示した図である。
【００４４】
図２に示すように、テレビ１は、３つのＨＤＭＩ入力端子１１ａ〜１１ｃ、ＨＤＭＩスイッチ１１ｄ、ＨＤＭＩレシーバ１００、映像入力端子１０１ａ、音声入力端子１０１ｂ、ＢＤドライブ１０２、チューナ１０３、ＩＰ放送チューナ１０４、衛星放送チューナ１０５、ＯＳＤ生成部１０６、映像セレクタ１０７、映像処理回路１０８、ＬＣＤコントローラ１０９、ＬＣＤ（Liquid Crystal Display）１１０、音声セレクタ１１１、音声処理回路１１２、デジタルアンプ１１３、スピーカ１１４、イーサネット（登録商標）Ｉ／Ｆ１１５、ＲＯＭ１１６、ＲＡＭ１１７、ＣＰＵ１１８、赤外線受光部１１９、カメラ１２０、人感センサ１２１、及び、照度センサ１２２を備えている。図２においては、映像信号の経路を実線で、音声信号の経路を１点鎖線で、データや制御信号の経路（バス）を太線で示している。
【００４５】
（１）ＨＤＭＩレシーバ１００が受信した映像、（２）映像入力端子１０１ａから入力された映像、（３）ＢＤドライブ１０２がＢＤ（Blu-ray Disc）から読み出した映像、（４）（地上波デジタル放送用）チューナ１０３が受信した映像、（５）ＩＰ放送チューナ１０４が受信した映像、及び、（６）衛星放送チューナ１０５が受信した映像は、それぞれ、映像セレクタ１０７に供給される。また、（１）ＨＤＭＩレシーバ１００が受信した音声、（２）音声入力端子１０１ｂから入力された音声、（３）ＢＤドライブ１０２がＢＤから読み出した音声、（４）チューナ１０３が受信した音声、（５）ＩＰ放送チューナ１０４が受信した音声、及び、（６）衛星放送チューナ１０５が受信した音声は、それぞれ、音声セレクタ１１１に供給される。
【００４６】
なお、（ａ）ＨＤＭＩレシーバ１０１が何れのＨＤＭＩ入力端子から入力されるコンテンツを受信するか、すなわち、ＨＤＭＩスイッチ１１ｄが何れのＨＤＭＩ入力端子から入力されたコンテンツをＨＤＭＩレシーバ１００に供給するか、（ｂ）チューナ１０３が何れのチャンネルを介して伝送されたコンテンツを受信するか、（ｃ）ＩＰ放送チューナ１０４が何れのサーバから配信されたコンテンツを受信するか、（ｄ）衛星放送チューナ１０５が何れのチャンネルを介して伝送されたコンテンツを受信するかを決める選択制御は、ＣＰＵ１１８によって行われる。また、（ｅ）ＢＤドライブ１０２における再生、停止、早送り、巻戻し、チャプタ遷移などの再生制御も、ＣＰＵ１１８によって行われる。
【００４７】
映像セレクタ１０７は、（１）ＨＤＭＩレシーバ１００から供給された映像、（２）映像入力端子１０１ａから供給された映像、（３）ＢＤドライブ１０２から供給された映像、（４）チューナ１０３から供給された映像、（５）ＩＰ放送チューナ１０４から供給された映像、及び、（６）衛星放送チューナ１０５から供給された映像のうちの何れか１つを選択する。映像セレクタ１０７によって選択された映像は、映像処理回路１０８に供給される。なお、映像セレクタ１０７が何れの映像を選択するかは、ＣＰＵ１１８によって制御される。
【００４８】
映像処理回路１０８は、映像セレクタ１０７から供給された映像の画質を調整する。また、映像処理回路１０８は、映像セレクタ１０７から供給された映像をスケーリングする。ここで、画質の調整とは、例えば、輝度、シャープネス、及び、コントラストの少なくとも何れかを変化させることを指す。また、スケーリングとは、表示すべき映像本来のアスペクト比を保ったままサイズを縮小することを指す。映像処理回路１０８によって画質調整とスケーリングとを施された映像は、ＬＣＤコントローラ１０９に供給される。なお、映像処理回路１０８が画質をどのように変化させるか、及び、映像をどの程度縮小するかは、ＣＰＵ１１８によって制御される。
【００４９】
ＬＣＤコントローラ１０９は、映像処理回路１０８から供給された映像が表示されるようにＬＣＤ１１０を駆動する。これにより、映像セレクタ１０７により選択された映像がＬＣＤ１１０から出力される。なお、ＯＳＤ生成部１０６からＯＳＤ画像が供給されている場合、ＬＣＤコントローラ１０９は、ＯＳＤ生成部１０６から供給されたＯＳＤ画像を映像処理回路１０８から供給された映像に重ねて表示する。また、ＬＣＤコントローラ１０９は、秒間何コマの映像信号が前段から入力されているかをバックライト制御回路１１０ｃに通知するようになっている。
【００５０】
音声セレクタ１１１は、ＨＤＭＩレシーバ１００から供給された音声、映像入力端子１０１ａから供給された音声、ＢＤドライブ１０２から供給された音声、チューナ１０３から供給された音声、ＩＰ放送チューナ１０４から供給された音声、及び、衛星放送チューナ１０５から供給された音声のうちの何れか１つを選択する。音声セレクタ１１１によって選択された音声は、音声処理回路１１２に供給される。なお、音声セレクタ１１１が何れの音声を選択するかは、ＣＰＵ１１８によって制御される。ただし、映像セレクタ１０７における映像の選択と、音声セレクタ１１１における音声の選択と、は連動しており、例えば、映像セレクタ１０７がＨＤＭＩレシーバ１００から供給された映像を選択しているときには、音声セレクタ１１１もＨＤＭＩレシーバ１００から供給された音声を選択する。
【００５１】
音声処理回路１１２は、音声セレクタ１１１から供給された音声の音量及び音質を調整する。ここで、音質の調整とは、音声セレクタ１１１から供給された音声の周波数特性を変化させること（例えば、低域の強調や高域の強調など）を指す。音声処理回路１１２によって音量及び音質を調整された音声は、デジタルアンプ１１３に供給される。なお、音声処理回路１１２によって音量及び音質をどのように変化させるかは、ＣＰＵ１１８によって制御される。
【００５２】
デジタルアンプ１１３は、音声処理回路１１２から供給された音声が出力されるようにスピーカ１１４を駆動する。これにより、音声セレクタ１１１により選択された音声がスピーカ１１４から出力される。
【００５３】
ＣＰＵ１１８は、赤外線受光部１１９が受信したリモコン信号、カメラ１２０が撮像した画像、人感センサ１２１が出力するセンサ信号、及び、照度センサ１２２が出力するセンサ信号に応じて上記各部を制御する。人感センサ１２１のセンサ信号は、その感知範囲内に視聴者が存在するか否かを示す２値信号である。また、照度センサ１２２のセンサ信号は、照度センサ１２２の周囲の照度（明るさ）を示す多値信号である。赤外線受光部１１９を用いた制御としては、例えば、画質調整モードをリモコン信号（画質設定指示）に応じて切り替える制御や、チューナ１０４にて選択するチャンネルをリモコン信号に応じて切り替える制御、映像セレクタ１０７及び音声セレクタ１１１にて選択する映像及び音声をリモコン信号に応じて切り替える制御などが挙げられる。また、カメラ１２０を用いた制御としては、例えば、映像処理回路１０８において画質をどのように調整するかを、撮像した画像に基づいて特定した視聴者に応じて切り替える制御などが挙げられる。また、人感センサ１２１を用いた制御としては、例えば、ＬＣＤ１１０のバックライトを点灯するか消灯するかを、感知結果に応じて切り替える制御などが挙げられる。
【００５４】
また、ＣＰＵ１１８は、画質調整モードが映画（クラシック）モードになっている間、制御信号を画像処理回路１０８およびＬＣＤ１１０に供給するようになっている。
【００５５】
ＲＯＭ１１６は、ＣＰＵ１１８によって実行されるプログラムなどの固定データが格納される、読み出し可能かつ書き込み不能なメモリである。ＯＳＤ画像を生成するためにＯＳＤ生成部１０６が参照するＪＰＥＧデータやＳＶＧ（Scalable Vector Graphics）データなども、このＲＯＭ１１６に格納される。一方、ＲＡＭ１１７は、ＣＰＵ１１８が演算のために参照するデータ、及び、ＣＰＵ１１８が演算によって生成したデータなどの可変データが格納される、読み出し可能かつ書き込み可能なメモリである。
【００５６】
イーサネットＩ／Ｆ１１５は、テレビ１をネットワークに接続するためのインターフェースである。上述したＩＰ放送チューナ１０５は、このイーサネットＩ／Ｆ１１５を介してインターネット上のサーバにアクセスする。
（映像処理回路１０８の構成）
映像処理回路１０８は、テレシネ変換映像検出回路１０８１、切換回路１０８２ａ〜１０８２ｃ、ＩＰ変換回路１０８３、２４コマ映像復元回路１０８４、超解像回路１０８５、エッジ強調回路１０８６、ノイズリダクション回路１０８７、およびフィルムデジャダリング処理回路１０８８を備えている。
【００５７】
テレシネ変換映像検出回路１０８１は、映像処理回路１０８に入力された信号が、テレシネ変換されたインタレース映像信号であるか否かを検出する回路である。
【００５８】
ＩＰ変換回路１０８３は、インタレース映像信号をプログレッシブ映像信号に変換する回路である。
【００５９】
２４コマ映像復元回路１０８４は、テレシネ変換の逆変換を行い２４コマの映像信号を再構成する回路である。
【００６０】
超解像回路１０８５は、入力される映像信号に対して超解像化処理を施す回路である。超解像化処理を施した画像は、超解像化処理を施す前の画像よりも解像度が高くなるようになっている。
【００６１】
エッジ強調回路１０８６は、入力される映像信号に対してエッジ強調処理を施す回路である。エッジ強調処理を施さずに表示する映像に比べ、エッジ強調処理した映像では、映像中の物体の像の輪郭が強調されるようになっている。
【００６２】
ノイズリダクション回路１０８７は、映像信号にノイズリダクション処理を施す回路である。ノイズリダクション処理を施さずに表示する映像に比べ、ノイズリダクション処理を施した映像では、グレインノイズ等のノイズが目立たなくなるようになっている。
【００６３】
フィルムデジャダリング処理回路１０８８は、入力される２４コマの映像信号から動きベクトルを検出することにより補間フレームの映像信号を生成し、補間フレームの映像信号をインタリーブして６０コマの映像信号に変換する回路である。
【００６４】
切換回路１０８２ａ〜切換回路１０８２ｃは信号の出力部を２つ備え、入力された信号をいずれの出力部から出力するかを、外部から制御信号が入力されているか否かに応じて切り替える回路である。
【００６５】
切換回路１０８２ａは、具体的には、テレシネ変換映像検出回路１０８１がテレシネ変換された６０ｉの映像信号を検出し、テレシネ変換映像検出回路１０８１から制御信号が送られてきたときには、信号の出力先が２４コマ映像復元回路１０８４になるようにスイッチを切り替える。一方、切換回路１０８２ａは、テレシネ変換映像検出回路１０８１がテレシネ変換された６０ｉの映像信号を検出していなかったとき（すなわち、制御信号が送られてこないとき）には、信号の出力先がＩＰ変換回路１０８３になるようにスイッチを切り替える。
（ＬＣＤ１１０）
ＬＣＤ１１０は、バックライト１１０ａ、液晶パネル１１０ｂ、およびバックライト制御回路１１０ｃを備えている。
【００６６】
バックライト１１０ａは、液晶パネル１１０ｂに向けてバックライトを照射する直下型ＬＥＤバックライトである。
【００６７】
液晶パネル１１０ｂには、液晶パネル１１０ｂの液晶を透過したバックライトにより映像が表示される。透過されるバックライトの光量は、ゲートドライバおよびソースドライバの駆動電圧により制御される。
【００６８】
バックライト制御回路１１０ｃは、バックライト１１０ａの点灯および消灯を制御する。
【００６９】
（液晶テレビ１の動作）
次に、本実施形態に係る液晶テレビ１の映像処理回路１０８〜ＬＣＤ１１０の動作について図１を参照しながら以下に説明する。なお、ここで説明する動作は、映画（クラシック）モードと他の画質調整モードとの各モードに画質調整モードが設定されたときの動作、並びに、各モードにおいて、テレシネ変換されたインタレース映像信号が映像処理回路１０８に入力されたときの動作である。
【００７０】
（映画（クラシック）モードの場合の動作）
前述したように、ＣＰＵ１１８は、画質調整モードが映画（クラシック）モードになっている間、制御信号を画像処理回路１０８およびＬＣＤ１１０に供給するようになっている。具体的には、制御信号は、画像処理回路１０８の切換回路１０８２ｂおよび１０８２ｃ、並びに、ＬＣＤ１１０のバックライト制御回路１１０ｃに供給されるようになっている。
【００７１】
また、切換回路１０８２ｂは、制御信号が入力されるとプログレッシブ映像信号の出力先を超解像回路１０８５に切り替える。同様に、切換回路１０８２ｃは、制御信号が入力されるとプログレッシブ映像信号の出力先を切換回路１０８２ｂに切り替える。
【００７２】
さらに、バックライト制御回路１１０ｃは、点灯状態を維持するようバックライト１１０ａを制御するが、制御信号が入力されている間は、バックライト１１０ａが点灯と消灯とを繰り返すように制御するようになっている。
【００７３】
より具体的には、バックライト制御回路１１０ｃは、バックライト１１０ａが光を照射する照射期間とバックライト１１０ａが光を照射しない非照射期間とが交互に繰り返すようにバックライト１１０ａを制御するようになっているが、照射期間と非照射期間とは、ＬＣＤ１１０に表示される映像のコマ数に依存している。すなわち、バックライト制御回路１１０ｃは、ＬＣＤコントローラ１０９から入力された、秒間何コマの映像信号が入力されているかを示す情報に基づいて、照射期間と非照射期間とを決定するようになっている。
【００７４】
バックライト制御回路１１０ｃの上記制御について、秒間２４コマの映像信号が入力されている場合と、秒間６０コマの映像信号が入力されている場合と、を例に挙げて図３を参照しながら説明する。図３は、映画（クラシック）モードにおけるバックライトの点灯および消灯のタイミングを示した図である。図３（ａ）は秒間２４コマの映像を表示した場合の図であり、図３（ｂ）は、秒間６０コマの映像を表示した場合の図である。図３（ａ）では、４つの「Ａ」が１コマ（コマＡ）を表わしており（Ｂ、Ｃも同様）、図３（ｂ）では、２つの「Ａ」が１コマ（コマＡ）を表わしている（Ｂも同様）。
【００７５】
図３（ａ）に示すように秒間２４コマの映像信号が入力されている場合には、バックライト制御回路１１０ｃは、照射期間と非照射期間とを１／９６秒に決定するようになっている。この場合、１コマの画像を表示している期間中に黒映像が２回挿入されることになる。また、図３（ｂ）に示すように秒間６０コマの映像信号が入力されている場合には、バックライト制御回路１１０ｃは、照射期間と非照射期間とを１／１２０秒に決定するようになっている。
【００７６】
なお、照射期間と非照射期間とは、上記の具体的な数値に限定されず、例えば、それぞれ、１÷（ｍ×ｎ）秒（ｎ：秒間コマ数、ｍ：２以上の任意の整数）となるように設定されていればよい。なお、バックライト制御回路１１０ｃがバックライト１１０ａの点灯と消灯とを交互に繰り返す間欠周期にはバックライト制御回路１１０ｃの能力に応じた物理的な下限が存在する。すなわち、上記整数ｍには上限値が存在し、その値は、間欠周期の下限値に応じた値となる。
【００７７】
映画（クラシック）モードにおいて、テレシネ変換されたインタレース映像信号が映像処理回路１０８に入力されると、インタレース映像信号は切換回路１０８２ａおよびテレシネ変換映像検出回路１０８１に入力される。
【００７８】
テレシネ変換映像検出回路１０８１は、テレシネ変換されたインタレース映像信号が入力されたことを検出し、切換回路１０８２ａに制御信号を供給する。
【００７９】
切換回路１０８２ａは、制御信号が入力されると、入力されたインタレース映像信号をそのまま２４コマ映像復元回路１０８４にスルー出力する。
【００８０】
２４コマ映像復元回路１０８４は、テレシネ変換されたインタレース映像信号を２４コマのプログレッシブ映像信号に変換し、切換回路１０８２ｃに出力する。
【００８１】
切換回路１０８２ｃは、入力された２４コマのプログレッシブ映像信号を切換回路１０８２ｂにスルー出力し、切換回路１０８２ｂは、入力された２４コマのプログレッシブ映像信号を超解像回路１０８５にスルー出力する。
【００８２】
超解像回路１０８５は、入力されたプログレッシブ映像信号に超解像化処理を施してエッジ強調回路１０８６に出力する。エッジ強調回路１０８６は、超解像回路１０８５から入力されたプログレッシブ映像信号にエッジ強調処理を施し、ＬＣＤコントローラ１０９に出力する。
【００８３】
ＬＣＤコントローラ１０９は、エッジ強調回路１０８６から入力されたプログレッシブ映像信号に応じた映像信号および制御信号を、それぞれ、ソースドライバおよびゲートドライバに供給する。ソースドライバおよびゲートドライバは、それぞれ、映像信号および制御信号に応じた駆動電圧を印加して液晶パネル１１０ｂの液晶層における液晶分子の配向を制御する。液晶層を透過したバックライト１１０ａからのバックライトにより、液晶パネル１１０ｂには、映像処理回路１０８により上記映像処理が施された映像が表示されることになる。
【００８４】
以上、映画（クラシック）モードにおける液晶テレビ１の動作について説明したが、液晶テレビ１は、切換回路１０８２ｃに制御信号が入力されていない場合だけでなく制御信号が入力されている場合であっても（すなわち、常に）、切換回路１０８２ｃの信号の出力先がフィルムデジャダリング処理回路１０８８になるように動作するように構成されていてもかまわない。
【００８５】
（他の画質調整モードの場合における動作）
次に映画（クラシック）モード以外の他の画質調整モードが設定された場合の動作について説明する。ここでは、他のモードとは、通常の映画モードであるものとする。
【００８６】
切換回路１０８２ｂは、制御信号が入力されなくなると、プログレッシブ映像信号の出力先をノイズリダクション回路１０８７に切り替える。同様に、切換回路１０８２ｃは、制御信号が入力されなくなるとプログレッシブ映像信号の出力先をフィルムデジャダリング処理回路１０８８に切り替える。
【００８７】
さらに、バックライト制御回路１１０ｃは、バックライト１１０ａが常に点灯状態になるように制御するようになっている。
【００８８】
通常の映画モードにおいても、テレシネ変換されたインタレース映像信号が映像処理回路１０８に入力されると、インタレース映像信号は切換回路１０８２ａおよびテレシネ変換映像検出回路１０８１に入力される。
【００８９】
テレシネ変換映像検出回路１０８１は、テレシネ変換されたインタレース映像信号が入力されたことを検出し、切換回路１０８２ａに制御信号を供給する。
【００９０】
切換回路１０８２ａは、制御信号が入力されると、入力されたインタレース映像信号をそのまま２４コマ映像復元回路１０８４にスルー出力する。
【００９１】
２４コマ映像復元回路１０８４は、テレシネ変換されたインタレース映像信号を２４コマのプログレッシブ映像信号に変換し、切換回路１０８２ｃに出力する。
【００９２】
切換回路１０８２ｃは、入力された２４コマのプログレッシブ映像信号をフィルムデジャダリング処理回路１０８８にスルー出力する。
【００９３】
フィルムデジャダリング処理回路１０８８は、入力された２４コマのプログレッシブ映像信号にフィルムデジャダリング処理を施し、切換回路１０８２ｂに出力する。フィルムデジャダリング処理が施された映像は６０コマの映像であってもよいし、１２０コマの映像であってもよい。切換回路１０８２ｂは、フィルムデジャダリング処理回路１０８８から入力されたプログレッシブ映像信号をノイズリダクション回路１０８７にスルー出力する。
【００９４】
ノイズリダクション回路１０８７は、切換回路１０８２ｂから入力されるプログレッシブ映像信号にノイズリダクション処理を施し、ＬＣＤコントローラ１０９に出力する。
【００９５】
ＬＣＤコントローラ１０９は、エッジ強調回路１０８６から入力されたプログレッシブ映像信号に応じた映像信号および制御信号を、それぞれ、ソースドライバおよびゲートドライバに供給する。ソースドライバおよびゲートドライバは、それぞれ、映像信号および制御信号に応じた駆動電圧を印加して液晶パネル１１０ｂの液晶層における液晶分子の配向を制御する。液晶層を透過したバックライト１１０ａからのバックライトにより、液晶パネル１１０ｂには、映像処理回路１０８により上記映像処理が施された映像が表示されることになる。
【００９６】
（映画（クラシック）モードにおける映像調整機能について）
液晶テレビ１は、映画（クラシック）モードにおいてバックライト制御回路１１０ｃがバックライト１１０ａの点灯と消灯とを交互に繰り返す間欠周期を、液晶パネル１１０ｂにＯＳＤ表示されるユーザインタフェース（ＵＩ）中のシャッター効果調整用スライドバーの操作に応じて調整するようになっている。
【００９７】
以下では、上記ユーザインタフェースの具体例１および具体例２について説明することにする。
【００９８】
（具体例１）
最初に、上記ユーザインタフェースの具体例１について図４を参照しながら以下に説明する。図４（ａ）〜図４（ｄ）は、ユーザによる図示しないリモコンの操作指示に応じてＯＳＤ生成部１０６が生成し、ＬＣＤ１１０が表示する各ＵＩを示している。図中における点模様は、点模様の範囲に映像処理回路１０８からの映像信号が表す映像が表示されていることを示している。
【００９９】
ユーザがメニュー画面を表示させるリモコン操作を行うと、液晶パネル１１０ｂには図４（ａ）に示すようなメニュー画面１４０が表示される。
【０１００】
図４（ａ）に示すように、メニュー画面１４０には、色相を調整するための「カラーマネージメント−色相」や彩度を調整するための「カラーマネージメント−彩度」などの様々なコントロールが設けられており、ユーザは、リモコンの上下キーにより各コントロールを選択できるようになっている。
【０１０１】
そのようなコントロールのうちのひとつに「シャッター効果」を調整するためのスライドバー（以下、「シャッター効果調整用スライドバー」と称する）がある。ユーザはシャッター効果調整用スライドバー１３２を操作することにより、バックライト１１０ａの点灯周波数を４８Ｈｚから６０Ｈｚまでの範囲内において２Ｈｚ間隔で計７段階に調整することができるようになっている。なお、図中で「０」は上記点灯周波数が６０Ｈｚであることを示しており、「６」は上記点灯周波数が４８Ｈｚであることを示している。また、シャッター効果調整用スライドバー１３２の設定値の初期値は「６」となっている。
【０１０２】
テレシネ変換映像検出回路１０８１がテレシネ変換されたインタレース映像信号を検出している状態で、リモコン操作によりメニュー画面１４０からシャッター効果調整用スライドバー１３２が選択され、リモコンの決定ボタンが押下されると、シャッター効果調整用スライドバー１３２のみが液晶パネル１１０ｂに表示される。この状態で、さらにリモコンの決定ボタンが押下されると、図４（ｃ）に示すように、シャッター効果調整用スライドバー１３２が下方に移動し、ＣＰＵ１１８はリモコンの左右キーの操作によるシャッター効果の調整指示を受け付けるようになる。すなわち、ＣＰＵ１１８は、シャッター効果調整用スライドバー１３２’がｉに調整されたことを検出すると、バックライト１１０ａの点灯周波数が６０−２×ｉＨｚになるようにバックライト制御回路１１０ｃに制御させる。
【０１０３】
一方、テレシネ変換映像検出回路１０８１がテレシネ変換されていないインタレース映像信号を検出している状態で、リモコン操作によりメニュー画面１４０からシャッター効果調整用スライドバー１３２が選択され、リモコンの決定ボタンが押下されると、図４（ｄ）に示すようなＵＩが表示される。すなわち、液晶パネル１１０ｂに表示されている映像がフィルム映像でない場合には、シャッター効果調整用スライドバーを操作してもバックライト１１０ａの点灯周波数は変化しないようになっている。
【０１０４】
（具体例２）
次に、上記ユーザインタフェースの具体例２について図５を参照しながら以下に説明する。図５は、ユーザによる図示しないリモコンの操作指示に応じて、ＬＣＤ１１０が表示するＵＩを示している。図中における点模様は、点模様の範囲に映像処理回路１０８からの映像信号が表す映像が表示されていることを示している。
【０１０５】
ユーザがメニュー画面を表示させるリモコン操作を行うと、液晶パネル１１０ｂには図５に示すような画面が表示される。図５に示すように、この画面には２つの映像領域（映像領域１４０とサイド領域１３０内の映像領域１３１）が含まれている。また、サイド領域１３０内には具体例１で説明したものと同様のシャッター効果調整用スライドバー１３２が表示される。
【０１０６】
ＣＰＵ１１８は、シャッター効果調整用スライドバー１３２の設定値がｉに調整されたことを検出すると、映像領域１３１の背面にあるバックライト１１０ａの点灯周波数が６０−２×ｉＨｚになるようにバックライト制御回路１１０ｃに制御させる一方、映像領域１３１以外の領域の背面にあるバックライト１１０ａの点灯周波数はそのまま維持するようにバックライト制御回路１１０ｃを制御する。なお、バックライト制御回路１１０ｃによるこの制御は、図示しないエリア駆動回路によって実現される。
【０１０７】
ＣＰＵ１１８は、シャッター効果調整用スライドバー１３２の設定値がｉに調整された状態で決定ボタンが押下されたことを検出すると、バックライト１１０ａ全体の点灯周波数が６０−２×ｉＨｚになるようにバックライト制御回路１１０ｃに制御するとともに、映像領域１４０に表示されている映像が液晶パネル１１０ｂの全領域に表示されるように制御を行う。
【０１０８】
なお、具体例１および具体例２のいずれにおいても、バックライト制御回路１１０ｃは、シャッター効果調整用スライドバー１３２の設定値に関わらずバックライト１１０ａの点灯期間と消灯期間とが同じ長さになるようにバックライト１１０ａを制御するようになっている。
【０１０９】
以上のように、本実施形態では、バックライト制御回路１１０ｃはバックライト１１０ａの点灯周波数を４８Ｈｚから６０Ｈｚまでの範囲内において２Ｈｚ単位で計７段階に制御するようになっているが、本発明はこれに限定されない。すなわち、バックライト１１０ａの点灯周波数は、任意の周波数の範囲（例えば、４０Ｈｚから７０Ｈｚまでの範囲）において計ｎ段階に（例えば、１Ｈｚ単位で３１段階に）制御可能に構成されてもよい。換言すると、ＣＰＵ１１８は、同じ長さの点灯期間および消灯期間を、１÷（ｍ×ｎ）秒を含む範囲内で、ユーザが指定した任意の長さに設定可能になっていてもよい。
【０１１０】
（液晶テレビ１の利点）
以上のように、液晶テレビ１は、秒間２４コマの映像を表示することができるが、映画（クラシック）モードにおいては、バックライト制御回路１１０ｃは、バックライト１１０ａが点灯する９６分の１秒の期間と、バックライト１１０ａが消灯する９６分の１秒の期間とが交互に繰り返すようにバックライト１１０ａを制御するので、液晶テレビ１の映像を鑑賞するユーザは、往年のフィルム映画特有の映像のちらつき感を知覚することになる。
【０１１１】
その他にも、液晶テレビ１に表示される映像には以下の特徴がある。
【０１１２】
すなわち、映画（クラシック）モードにおいては、液晶テレビ１に表示される映像には、超解像化処理が施されている一方、ノイズリダクション処理が施されていない。したがって、グレインノイズ等を含む往年の名作映画を再生する場合、通常の映画モードの場合（すなわち、超解像化処理を施さずノイズリダクション処理を施す場合）に比べ、表示される映像にはグレインノイズがそのまま再現されることになる。
【０１１３】
また、映画（クラシック）モードにおいては、液晶テレビ１に表示される映像は、エッジ強調処理が施された映像である。したがって、表示される映像には、往年のフィルム映画特有の精細感が再現されることになる。
【０１１４】
さらに、映画（クラシック）モードにおいては、液晶テレビ１に表示される映像は、フィルムデジャダリング処理が施されていない映像である。したがって、液晶テレビ１に表示される映像を視聴するユーザは、往年のフィルム映画特有のコマ送り感を体感することになる。
【０１１５】
以上のことから、液晶テレビ１は、往年の名作映画の映像が醸し出す雰囲気を、従来の液晶テレビやプラズマテレビ等に比べ忠実に再現することが可能である。
【０１１６】
（付記事項）
なお、映像処理回路１０８は、超解像回路１０８５およびエッジ強調回路１０８６の少なくとも一方を備えていなくとも良い。すなわち、液晶テレビ１は、映画（クラシック）モードにおいて、超解像化処理およびエッジ強調処理の少なくとも一方が施されていない映像を表示するようにしてもよい。
【０１１７】
また、映像処理回路１０８は切換回路１０８２ｃを備えなくてもよい（この場合、映画（クラシック）モードにおいて、ＣＰＵ１１８は、制御信号を切換回路１０８２ｂおよびバックライト制御回路１１０ｃにだけ供給する）。すなわち、テレシネ変換されたインタレース映像信号に映像処理回路１０８が映像処理を施す場合、映画（クラシック）モードであっても、液晶テレビ１に表示される映像にはフィルムデジャダリング処理が施されることになる。
【０１１８】
さらに、映像処理回路１０８は、ノイズリダクション回路１０８７は、エッジ強調回路１０８６と並列に配置されるのではなく、エッジ強調回路１０８６の後段に配置するようにしてもよい。すなわち、映画（クラシック）モードであっても、液晶テレビ１に表示される映像にはノイズリダクション処理が施されていても良い。
【０１１９】
また、上記実施形態では、フィルム映画特有の精細感を出すためにエッジ強調回路１０８６がエッジ強調処理を行うものとしたが、液晶テレビ１においてエッジ強調回路１０８６が設けられている部分に、エッジ強調回路１０８６に代えて超解像化処理を施す超解像回路１０８５を設けることによっても、フィルム映画特有の精細感を出すことができる。
【０１２０】
また、液晶テレビ１のＬＣＤ１１０は、一般的なＲＧＢの３つの副画素によって１画素が構成されるものであってもよい（すなわち、３原色であってもよい）し、本願出願時における未公開特許出願である特願２０１０−０４３１０３に開示されているような、ＲＧＢの各副画素と黄またはシアンの副画素とからなる４つの副画素によって１画素が構成されるものであってもよい（すなわち、４原色であってもよい）。そして、４原色の場合、特願２０１０−０４３１０３に開示されている副画素レベルでのフィルタ処理を行うことによっても、フィルム独特の精細感が得ることができ、特に、肌の質感を、深みがありクリアな質感にすることができる。
【０１２１】
なお、上記実施形態において「秒間２４コマ」とはより厳密には「秒間２３．９７６コマ」を意味しており、「秒間６０コマ」とはより厳密には「秒間５９．９５コマ」を意味している。また、バックライト制御回路１１０ｃは、点灯期間と消灯期間とが完全に同じ長さになるように制御する必要はなく、点灯期間の長さと消灯期間の長さとが略同じであればよい。
【０１２２】
また、上記実施形態では、バックライト制御回路１１０ｃがバックライト１１０ａの点灯と消灯とを交互に繰り返す構成にしたが、バックライト制御回路１１０ｃは、必ずしも、バックライト１１０ａを完全に消灯する制御を行わなくともよい。すなわち、バックライト制御回路１１０ｃは、バックライト１１０ａを通常の輝度で点灯する通常点灯期間とバックライト１１０ａを通常の輝度よりも弱い輝度で点灯する弱点灯期間と、を繰り返すように構成されていてもよい。また、直下型方式のバックライト１１０ａに代えて、エッジライト方式のバックライトを採用してもよい。
【０１２３】
また、バックライトスキャン方式によりバックライトを制御するバックライトスキャン部を備えた表示装置に対しても本発明を実施することができる。
【０１２４】
すなわち、バックライトスキャン方式では、表示装置のバックライトスキャン部が、液晶表示パネルの全領域を分割した複数の帯状領域について、各帯状領域を順次照射するようバックライトの各部の点灯と消灯とを制御する。この場合、バックライトは、バックライト制御部により設定された照射期間において、バックライトスキャン部によって点灯の制御が行われた部分のみが点灯するように制御されることになる。
【０１２５】
以下、図６を参照して具体例を挙げながら、各帯状領域の背部にあるバックライトの点灯タイミングおよび消灯タイミングについて説明する。
【０１２６】
図６の上側のタイミングチャートは、上記複数の帯状領域の一具体例である帯状領域ア〜エについて、バックライトスキャン部が背部にあるバックライトの点灯および消灯を制御するタイミングを示している。このタイミングチャートにおいて表記アの右方向に記載されている黒塗の部分は消灯を示しており、白塗の部分は点灯を示している。表記イ〜エについても同様である。なお、図６から明らかなように、このタイミングチャートは、表示装置のバックライト制御回路が図３（ｂ）に示したタイミングでバックライトの点灯および消灯の制御を行う場合における模式図である。
【０１２７】
また、表記ＶＳＹＮＣの右方向に記載されているパルスは、バックライトを点灯または消灯するための同期信号を示している。すなわち、このタイミングチャートには、３つの同期信号が記載されているが、図中で左に記載されている同期信号が送られてから図中で中央に記載されている同期信号が送られるまでの１／１２０秒間が照射期間に対応し、図中で中央に記載されている同期信号が送られてから図中で右に記載されている同期信号が送られるまでの１／１２０秒間が非照射期間に対応する。
【０１２８】
図６のタイミングチャートからわかるように、表示装置は、バックライトスキャン部が複数の帯状領域（図中では帯状領域ア〜エ）のうちの特定の帯状領域（図中では帯状領域ア）の背後にあるバックライトを点灯しようと制御するタイミングと、バックライト制御部がバックライトを点灯しようとするタイミング（照射期間および非照射期間が開始するタイミング）とが、同期するように動作する。すなわち、図６のタイミングチャートの例では、前半の１／１２０秒間のうち、「帯状領域群アおよびイ」「帯状領域群イおよびウ」「帯状領域群ウおよびエ」「帯状領域群アおよびエ」の順に１／４８０秒間ずつ各帯状領域群の背後にあるバックライトのみが点灯することになり、後半の１／１２０秒間では、バックライト全体が消灯することになる。前半の１／１２０秒間のうち最後の１／４８０秒間では図６の下側に示すように液晶パネルに映像が表示される。なお、１／４８０秒間という短い期間であるので、鑑賞者の目には液晶パネル全体に映像が表示されているように見えることは言うもまでもない。
【０１２９】
以上のように、倍速駆動技術およびバックライトスキャン技術を採用することにより高品位な映像を表示する表示装置においても、本発明は往年のフィルム映画の映像が醸し出す雰囲気を再現することができるという効果を奏する。
【０１３０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１３１】
本発明に係る表示装置は、テレビ等の表示装置一般に利用することができる。
【符号の説明】
【０１３２】
１              テレビ
１１ａ〜１１ｃ    ＨＤＭＩ入力端子
１１ｄ            ＨＤＭＩスイッチ
１００            ＨＤＭＩレシーバ
１０１ａ          映像入力端子
１０１ｂ          音声入力端子
１０２            ＢＤドライブ
１０３            チューナ
１０４            ＩＰ放送チューナ
１０５            衛星放送チューナ
１０６            ＯＳＤ生成部
１０７            映像セレクタ
１０８            映像処理回路
１０８１                テレシネ変換映像検出回路
１０８２ａ〜１０８２ｃ  切換回路
１０８３                ＩＰ変換回路
１０８４                ２４コマ映像復元回路
１０８５                超解像回路（超解像化部）
１０８６                エッジ強調回路（エッジ強調部）
１０８７                ノイズリダクション回路（ノイズ除去部）
１０８８                フィルムデジャダリング処理回路（デジャダリング部）
１０９            ＬＣＤコントローラ
１１０            ＬＣＤ
１１０ａ                バックライト（光源部）
１１０ｂ                液晶パネル
１１０ｃ                バックライト制御回路（光源制御部）
１１１            音声セレクタ
１１２            音声処理回路
１１３            デジタルアンプ
１１４            スピーカ
１１５            イーサネットＩ／Ｆ
１１６            ＲＯＭ
１１７            ＲＡＭ
１１８            ＣＰＵ（設定手段）
１１９            赤外線受光部（指示受付部）
１２０            カメラ
１２１            人感センサ
１２２            照度センサ
【図１】
0005199327.tif 000002
【図２】
0005199327.tif 000003
【図３】
0005199327.tif 000004
【図４】
0005199327.tif 000005
【図５】
0005199327.tif 000006
【図６】
0005199327.tif 000007